(57)【要約】    【課題】枠側ジョイント部が盤側ジョイント部により押されて逃げるようなことがあっても、遊技盤を遊技盤装着枠内で固定するときに、両ジョイント部のコネクタ同士を確実に接続できるようにする。    【解決手段】前枠３の遊技盤装着枠８に装着された遊技盤９を固定するためのロック手段７３と、遊技盤９の電気系に接続された盤側コネクタ５６〜５９を有する盤側ジョイント部４７と、前枠３側の電気系に接続され且つ遊技盤装着枠８に対する遊技盤９の装着時に盤側コネクタ５６〜５９に接続する枠側コネクタ９０〜９３を有する枠側ジョイント部４８と、ロック手段７３の固定操作に連動して枠側ジョイント部４８を盤側ジョイント部４７側へと引き寄せる引き寄せ手段７４とを備えている。【選択図】    図１１
2009183388.tif 000002
【特許請求の範囲】
【請求項１】
前枠（３）の遊技盤装着枠（８）に装着された遊技盤（９）を固定するためのロック手段（７３）を備え、前記遊技盤（９）の電気系に接続された盤側コネクタ（５６〜５９）を有する盤側ジョイント部（４７）を前記遊技盤（９）に、前記前枠（３）側の電気系に接続され且つ前記盤側コネクタ（５６〜５９）に対応する枠側コネクタ（９０〜９３）を有する枠側ジョイント部（４８）を前記前枠（３）に夫々備え、前記遊技盤装着枠（８）に対する前記遊技盤（９）の着脱時に前記両ジョイント部（４７，４８）の対応する前記コネクタ（５６〜５９，９０〜９３）同士が挿脱するようにした弾球遊技機であって、前記ロック手段（７３）の固定操作に連動して前記枠側ジョイント部（４８）を前記盤側ジョイント部（４７）側へと引き寄せる引き寄せ手段（７４）を備えたことを特徴とする弾球遊技機。
【請求項２】
前記枠側ジョイント部（４８）は前記遊技盤装着枠（８）内に突出して前記前枠（３）に取り付けられており、前記引き寄せ手段（７４）は前記枠側ジョイント部（４８）の前記遊技盤装着枠（８）から内側に突出する突出端側を引き寄せることを特徴とする請求項１に記載の弾球遊技機。
【請求項３】
前記枠側ジョイント部（４８）は前記遊技盤装着枠（８）の下隅部に対応して外周側の一辺側又は隣り合う二辺側の取り付け部（９５，９６）で前記前枠（３）に固定されており、前記引き寄せ手段（７４）は前記枠側ジョイント部（４８）の前記取り付け部（９５，９６）から離れた側を引き寄せることを特徴とする請求項１又は２に記載の弾球遊技機。
【請求項４】
前記遊技盤装着枠（８）に前側から嵌め込まれた前記遊技盤（９）をその後壁部（６９）側に締め付ける前記ロック手段（７３）と、前記遊技盤（９）の裏面に装着された前記盤側ジョイント部（４７）と、前記遊技盤（９）の後側で前記前枠（３）に装着された前記枠側ジョイント部（４８）と、該枠側ジョイント部（４８）を前記盤側ジョイント部（４７）へと引き寄せる前記引き寄せ手段（７４）とを備えたことを特徴とする請求項１〜３の何れかに記載の弾球遊技機。
【請求項５】
前記引き寄せ手段（７４）を前記前枠（３）に備えたことを特徴とする請求項１〜４の何れかに記載の弾球遊技機。
【発明の詳細な説明】
【技術分野】
【０００１】
本発明は、パチンコ機等の弾球遊技機に関するものである。
【背景技術】
【０００２】
パチンコ機等の弾球遊技機は、外枠に開閉自在に枢着された前枠に遊技盤装着枠が設けられ、この遊技盤装着枠に前側又は裏側から遊技盤が着脱自在に装着されている。遊技盤には前面の遊技領域に入賞手段その他の遊技部品が、裏側に遊技部品等の遊技動作を制御する主制御基板及び演出動作を制御する演出制御基板が夫々装着されている。また前枠側には電源基板、発射制御基板、払い出し制御基板が装着されている。
【０００３】
この種の弾球遊技機では、前枠に遊技盤を装着した後、前枠側と遊技盤側とを電気的に接続する必要がある。そこで、電源基板、払い出し制御基板にハーネスを介して接続された複数の枠側コネクタを有する枠側ジョイント部を前枠に設けると共に、主制御基板、演出制御基板等にハーネスを介して接続された複数の盤側コネクタを有する盤側ジョイント部を遊技盤に設け、この枠側ジョイント部と盤側ジョイント部とを連結することにより、対応するコネクタ同士が電気的に接続するようにしたものがある（特許文献１）。
【特許文献１】特開２００５−８０９０３号公報
【発明の開示】
【発明が解決しようとする課題】
【０００４】
従来の弾球遊技機は、前枠側と遊技盤側との電気系を一括して電気的に接続できるとは云うものの、前枠に対する遊技盤の着脱とは別に枠側ジョイント部と盤側ジョイント部とを着脱する必要がある。
【０００５】
そこで、近時の弾球遊技機では、盤側ジョイント部と枠側ジョイント部とを遊技盤装着枠の下隅部に配置し、遊技盤を遊技盤装着枠に対して着脱する際に、盤側ジョイント部と枠側ジョイント部との対応するコネクタ同士を挿脱することが考えられている。
【０００６】
この場合、例えば遊技盤を遊技盤装着枠に対して前側から着脱する装着形態であれば、盤側ジョイント部を遊技盤の裏側の下隅部に、枠側ジョイント部を遊技盤装着枠の下隅部に夫々配置することが考えられる。しかし、枠側ジョイント部は遊技盤の裏面の盤側ジョイント部と前後に対応する関係から、略矩形枠状の遊技盤装着枠の内側に突出して前枠に取り付ける必要があり、枠側ジョイント部の突出端側を前枠に固定することは構造上困難である。
【０００７】
従って、遊技盤を遊技盤装着枠に嵌め込んでコネクタ同士を接続する際に、盤側ジョイント部によりコネクタ相互の挿入抵抗等を介して枠側ジョイント部が後方へと押されて、枠側ジョイント部の突出端側が後方に逃げることがあり、コネクタ同士が確実に接続せずに接触不良が生じ易いという問題がある。
【０００８】
本発明は、このような従来の問題点に鑑み、仮に枠側ジョイント部が盤側ジョイント部により押されて逃げるようなことがあっても、その後の遊技盤を遊技盤装着枠内で固定するときに、両ジョイント部のコネクタ同士が確実に接続して接触不良を防止することができる弾球遊技機を提供することを目的とする。
【課題を解決するための手段】
【０００９】
本発明は、前枠３の遊技盤装着枠８に装着された遊技盤９を固定するためのロック手段７３を備え、前記遊技盤９の電気系に接続された盤側コネクタ５６〜５９を有する盤側ジョイント部４７を前記遊技盤９に、前記前枠３側の電気系に接続され且つ前記盤側コネクタ５６〜５９に対応する枠側コネクタ９０〜９３を有する枠側ジョイント部４８を前記前枠３に夫々備え、前記遊技盤装着枠８に対する前記遊技盤９の着脱時に前記両ジョイント部４７，４８の対応する前記コネクタ５６〜５９，９０〜９３同士が挿脱するようにした弾球遊技機であって、前記ロック手段７３の固定操作に連動して前記枠側ジョイント部４８を前記盤側ジョイント部４７側へと引き寄せる引き寄せ手段７４を備えたものである。
【００１０】
前記枠側ジョイント部４８は前記遊技盤装着枠８内に突出して前記前枠３に取り付けられており、前記引き寄せ手段７４は前記枠側ジョイント部４８の前記遊技盤装着枠８から内側に突出する突出端側を引き寄せるようにしてもよい。
【００１１】
また前記枠側ジョイント部４８は前記遊技盤装着枠８の下隅部に対応して外周側の一辺側又は隣り合う二辺側の取り付け部９５，９６で前記前枠３に固定されており、前記引き寄せ手段７４は前記枠側ジョイント部４８の前記取り付け部９５，９６から離れた側を引き寄せるようにしてもよい。
【００１２】
前記遊技盤装着枠８に前側から嵌め込まれた前記遊技盤９をその後壁部６９側に締め付ける前記ロック手段７３と、前記遊技盤９の裏面に装着された前記盤側ジョイント部４７と、前記遊技盤９の後側で前記前枠３に装着された前記枠側ジョイント部４８と、該枠側ジョイント部４８を前記盤側ジョイント部４７へと引き寄せる前記引き寄せ手段７４とを備えたものでもよい。前記引き寄せ手段７４を前記前枠３に備えたものでもよい。
【発明の効果】
【００１３】
本発明によれば、ロック手段７３の固定操作に連動して枠側ジョイント部４８を盤側ジョイント部４７側へと引き寄せる引き寄せ手段７４を備えているので、遊技盤９を遊技盤装着枠８に嵌め込んだときに、仮に枠側ジョイント部４８が盤側ジョイント部４７により押されて逃げるようなことがあっても、その後の遊技盤９を遊技盤装着枠８内で固定するときに、両ジョイント部４７，４８のコネクタ５６〜５９，９０〜９３同士が確実に接続して接触不良を防止することができる。
【発明を実施するための最良の形態】
【００１４】
以下、本発明の実施形態を図面に基づいて詳述する。図１〜図１２は本発明をパチンコ機に採用した第１の実施形態を例示している。図１において、１は遊技機本体で、矩形状の外枠２と、この外枠２の前側に開閉自在に枢着された前枠３とを備えている。
【００１５】
前枠３は図２、図３に示すように、外枠２の前面側に当接する矩形枠部４と、この矩形枠部４内の下部に配置された下部装着部５と、矩形枠部４内の上部に配置された上部装着部６とを一体に備え、下部装着部５に発射手段７等が、上部装着部６に遊技盤装着枠８を介して遊技盤９が夫々配置されている。前枠３は矩形枠部４の左右一端側、例えば左側に設けられた上下方向のヒンジ１０により外枠２に開閉、着脱自在に枢支されている。
【００１６】
前枠３の前側には、下部装着部５の前側に対応する前開閉板１１と、上部装着部６の前側に対応するガラス扉１２とがヒンジ１０と同じ側のヒンジ１３により開閉自在に枢支されている。前開閉板１１には、その前側に発射手段７に供給するための遊技球を貯留する供給皿１４、発射手段７を作動させるための発射ハンドル１５等が設けられている。
【００１７】
ガラス扉１２は図１、図４に示すように、遊技盤９の遊技領域１６（図２参照）に対応する窓孔１７を有し、扉枠１８と、この扉枠１８の前面に装着された合成樹脂製の化粧カバー１９と、窓孔１７に対応して扉枠１８の裏側に着脱自在に装着され且つ遊技盤９の遊技領域１６を透視可能なガラスユニット２０とから構成され、遊技盤９を前側から覆うように配置されている。ガラスユニット２０は前後２枚のガラス板２１と、このガラス板２１の外周を保持する保持枠２２とを備えている。
【００１８】
下部装着部５は図２、図３に示すように横長状であって、前側の左右方向の略中央に発射手段７が、その一側に下部スピーカ２３が夫々配置されている。発射手段７は下部装着部５に固定された板金製の支持板２４と、この支持板２４の前面に装着された発射レール２５と、支持板２４の前面で前後方向の駆動軸廻りに揺動自在に支持された打撃槌２６と、支持板２４の裏側に装着され且つ打撃槌２６を打撃方向に駆動するロータリソレノイド等の発射駆動手段２７等を備え、発射ハンドル１５を操作したときに発射駆動手段２７により打撃槌２６を打撃方向（時計廻り）に間欠的に駆動することにより、供給皿１４から発射レール２５上に供給された遊技球を発射レール２５に沿って打撃して遊技盤９側に発射させるようになっている。
【００１９】
上部装着部６は前枠３を閉鎖したときに外枠２の内側に嵌合する後ろ向き膨出状であって、この上部装着部６には図３〜図５に示すように前側から遊技盤９が着脱自在に装着される遊技盤装着枠８が、後側に遊技盤９の後部側を略取り囲む後部ケース３０が夫々設けられている。なお、上部装着部６の上部側には左右一対の上部スピーカ３１が着脱自在に装着されている。
【００２０】
遊技盤９は図２に示すように、その前面側には発射手段７からの遊技球を遊技領域１６の上部側へと案内する外レール３３、内レール３４等のガイドレールと円弧状の装飾部材３５とが遊技領域１６を取り囲むように環状に装着されると共に、その遊技領域１６内に液晶表示手段（画像表示手段）３７、通過ゲート３８、開閉式入賞手段３９、大入賞手段４０、普通入賞手段４１等の各種遊技部品が装着されている。外レール３３と内レール３４との下端間は、遊技盤９の下端の左右方向の一側で下方に開放しており、その開放部分が発射手段７からの遊技球を受け入れる球受け入れ口４２となっている。
【００２１】
遊技盤９の裏面には図４、図６、図８に示すように、液晶表示手段３７等の遊技部品を後側から覆う裏カバー４４と、この裏カバー４４の下側に配置された集球ケース４５と、遊技盤９の右下隅に対応して集球ケース４５の側方下部の段部４６に配置された盤側ジョイント部４７とが設けられている。
【００２２】
集球ケース４５の背面には主制御基板５０が格納された主基板ケース５１が着脱自在に装着され、また裏カバー４４の背面側には演出制御基板５２が格納された演出基板ケース５３と、液晶制御基板５４が格納された液晶基板ケース５５とが夫々着脱自在に装着されている。
【００２３】
盤側ジョイント部４７は遊技盤装着枠８に対する遊技盤９の装着時に前枠３側の枠側ジョイント部４８との間で前枠３側と遊技盤９側との電気系を一括して接続するためのもので、球受け入れ口４２と反対側の下部に配置されている。この盤側ジョイント部４７は図４、図６、図８に示すように、主制御基板５０の信号出力部に接続された盤側コネクタ５６と、主制御基板５０の電源部に接続された盤側コネクタ５７と、演出制御基板５２の演出信号出力部に接続された盤側コネクタ５８と、演出制御基板５２、液晶制御基板５４の電源部に接続された盤側コネクタ５９とを備えている。
【００２４】
各盤側コネクタ５６〜５９は左右方向に長い横長状であって、上下方向に所定の間隔をおいて盤側基板６０に装着され、保護カバー６１から後方に突出している。盤側基板６０、保護カバー６１は固定具により集球ケース４５の段部４６に着脱自在に固定されている。盤側基板６０には集球ケース４５の張り出し部６２側に中継コネクタ５６ａ〜５９ａ等が設けられ、また保護カバー６１には中継コネクタ５６ａ〜５９ａに接続された各ハーネスを押えるハーネス押え部６４が後方に傾斜状に設けられている。なお、盤側コネクタ５６〜５９は周壁の内部に多数の接続ピンを備えた雄型である。
【００２５】
遊技盤装着枠８は図２〜図５に示すように、遊技盤９を上下、左右から取り囲む上下一対の横枠部６７及び左右一対の縦枠部６８と、この各横枠部６７及び縦枠部６８の後端側から内周へと突出して遊技盤９の裏面外周部が前側から当接する各一対の後壁部６９，７０とを備え、遊技盤９を前側から着脱自在に嵌合するように前側が開放する矩形状に構成されている。
【００２６】
この遊技盤装着枠８には図２〜図５に示すように、遊技盤９の球受け入れ口４２に近い左側に係合突起７１と付勢手段７２とが、反対側にロック手段７３が夫々上下方向に２個（複数個）設けられており、これらにより遊技盤装着枠８内で遊技盤９が固定されている。また前枠３には下側のロック手段７３の近傍に枠側ジョイント部４８と引き寄せ手段７４とが前枠３に設けられている。
【００２７】
係合突起７１は遊技盤装着枠８に遊技盤９を装着するときに遊技盤９の球受け入れ口４２に近い左端縁を係合するためのもので、後壁部７０との間に遊技盤９の厚さ分の間隔をおいて左側の縦枠部６８に設けられている。各付勢手段７２は遊技盤装着枠８に遊技盤９を装着したときに、遊技盤９の前面端部が係合突起７１に当接すべく遊技盤９を裏側から押圧するためのもので、板バネ等の弾性体により構成されている。なお、付勢手段７２は後部ケース３０の周壁部の内側等に取り付けられている。
【００２８】
ロック手段７３は遊技盤装着枠８内の遊技盤９を固定するためのもので、遊技盤９を遊技盤装着枠８に嵌め込んだときに、遊技盤９の上下の切り欠き部７５内に嵌合するように遊技盤装着枠８の後壁部６９から前側に突出して設けられている。
【００２９】
このロック手段７３は、図５に上側のロック手段７３を、図７に下側のロック手段７３を夫々示すように、遊技盤装着枠８の各横枠部６７の後壁部６９から前向きに突設された略前後方向の回動軸７７と、この回動軸７７の前端側に固定された操作つまみ７８と、回動軸７７の前後方向の中間部分に固定された押圧突起７９とを一体に備えている。なお、操作つまみ７８は着脱位置ａのときに遊技盤９の切り欠き部７５内を前後方向に通過可能である。
【００３０】
回動軸７７は後壁部６９の裏側に貫通して、その後端の偏平状等の支持部８０が後壁部６９の裏側の円筒状の保持部８１に嵌合され、この保持部８１内で有底円筒状の押え部材８２により後方への移動が規制されており、操作つまみ７８が着脱位置ａとロック位置ｂとの間で回動するように前後方向の軸心廻りに回動自在である。
【００３１】
押え部材８２は保持部８１に対して裏側から着脱可能に係合爪８３により係止されており、この押え部材８２と支持部８０との間に、操作つまみ７８を着脱位置ａとロック位置ｂとに位置決めする位置決め手段８４が設けられている。
【００３２】
そして、ロック手段７３は操作つまみ７８を着脱位置ａからロック位置ｂへとｃ矢示方向に回動操作したときに、押圧突起７９が切り欠き部７５に形成された被押圧面７６を押圧し、また操作つまみ７８が切り欠き部７５の両側の突部８５を後方へと押圧して、遊技盤装着枠８内の遊技盤９を固定するようになっている。
【００３３】
この実施例では、球受け入れ口４２に近い左下隅を原点位置として遊技盤９を装着しているため、遊技盤装着枠８の遊技盤９を左の縦枠部６８と下の横枠部６７とが交差する隅部に向かって押圧すべく、下側のロック手段７３の押圧突起７９は遊技盤９を左方向に、上側のロック手段７３の押圧突起７９は遊技盤９を左斜め下方に夫々押圧する。
【００３４】
なお、後壁部６９には保持部８１内に開口８６が形成され、この開口８６を経て回動軸７７、操作つまみ７８及び押圧突起７９が後壁部６９の前側へと挿脱自在に挿入されている。
【００３５】
枠側ジョイント部４８は図３、図４、図８、図９、図１０に示すように、ジョイントケース８９と、盤側コネクタ５６〜５９に対応してジョイントケース８９の前面に装着された枠側コネクタ９０〜９３とを備え、原点位置と反対側で下側のロック手段７３の上近傍において、遊技盤９の裏側の集球ケース４５を取り囲む後部ケース３０の内、その縦周壁部８７及び横周壁部８８の二辺に跨がって裏側から着脱自在に装着され、この枠側ジョイント部４８と前後に相対向して配置されている。なお、ジョイントケース８９の内部で各枠側コネクタ９０〜９３に枠側ハーネスが接続されている。
【００３６】
ジョイントケース８９は後部ケース３０の縦周壁部８７及び横周壁部８８との二辺に対応する取り付け部９５，９６を有し、盤側ジョイント部４７の後側で遊技盤装着枠８の内側へと突出するように、遊技盤装着枠８の右下隅で取り付け部９５，９６がネジ等の固定具９５ａ，９６ａにより縦周壁部８７及び横周壁部８８に着脱自在に固定されている。
【００３７】
各枠側コネクタ９０〜９３は図６に枠側コネクタ９３を示すように、盤側コネクタ５６〜５９の周壁９７内に挿脱自在な本体部９８の両側に取り付け部１００を有し、その取り付け部１００の遊動孔１０１に遊動筒１０２が遊動自在に嵌合され、その遊動筒１０２がネジ等の固定具１０３によりジョイントケース８９の前面に固定されている。なお、枠側コネクタ９０〜９３は雌型である。
【００３８】
引き寄せ手段７４は下側のロック手段７３の固定動作に連動して枠側ジョイント部４８を盤側ジョイント部４７側へと引き寄せるためのもので、図９、図１１、図１２に示すように、ロック手段７３の回動軸７７の後端部に着脱自在に固定された押圧カム１０５と、後部ケース３０の横周壁部８８側で前枠３に横軸１０６廻りに回動自在に支持された揺動アーム１０７とを備えている。
【００３９】
回動軸７７は押え部材８２の中心部に設けられた保持筒１０８により回動自在に保持され、その後端に押圧カム１０５のボス部１０９が套嵌し固定されている。揺動アーム１０７は横軸１０６の上下に上アーム部１１０と下アーム部１１１とを有し、その上アーム部１１０は枠側ジョイント部４８の下側から上側へと延びて、上端の押圧部１１２でジョイントケース８９の突出端部、即ち遊技盤装着枠８、取り付け部９５，９６から離れた位置を前側へと押圧するようになっている。下アーム部１１１の下端はボス部１０９の一側で押圧カム１０５の後側に対応している。なお、押圧部１１２は枠側ジョイント部４８への負荷を軽減するためにはゴム、バネ等の弾性体で構成してもよい。
【００４０】
押圧カム１０５はロック手段７３の操作つまみ７８をロック位置ｂへと操作したときに、回動軸７７と一体に回動して揺動アーム１０７の下端部を後方に押圧するように回動方向に対して斜めに傾斜している。なお、横軸１０６は横周壁部８８に形成された支持壁８８ａに挿支されている。
【００４１】
上記構成のパチンコ機において、前枠３の遊技盤装着枠８に遊技盤９を装着する場合には、先ずガラス扉１２を開放し、次いで遊技盤装着枠８の下側の横枠部６７上に遊技盤９を載せてその左端を縦枠部６８側の後壁部６９と上下の係合突起７１との間に当接する。そして、係合突起７１との係合部分を支点として遊技盤９の右側を後方へと押圧して遊技盤９を遊技盤装着枠８内に押し込む。
【００４２】
このとき各ロック手段７３の操作つまみ７８を着脱位置ａに合わせておけば、遊技盤装着枠８に遊技盤９を押し込むときに、操作つまみ７８が遊技盤９の切り欠き部７５内を相対的に通過して遊技盤９の前面側へと突出する。
【００４３】
また前枠３の枠側ジョイント部４８が遊技盤装着枠８の右の下隅部内に突出した状態にあり、遊技盤９の下隅部の盤側ジョイント部４７と前後方向に相対向しているので、係合突起７１との係合部分を支点として遊技盤９を遊技盤装着枠８内に押し込んだときに、盤側ジョイント部４７の各盤側コネクタ５６〜５９が枠側ジョイント部４８の対応する各枠側コネクタ９０〜９３に相対的に挿入されて行く。
【００４４】
従って、遊技盤９を遊技盤装着枠８内に嵌め込むことにより、前枠３側の電気系と遊技盤９側の電気系とを一括して電気的に接続することができ、従来のように遊技盤９を装着した後に手作業によってコネクタ５６〜５９，９０〜９３相互を接続する煩わしさを解消できる。
【００４５】
遊技盤９の裏面が遊技盤装着枠８の後壁部６９に当接した後、各ロック手段７３の操作つまみ７８を着脱位置ａからロック位置ｂ側へとｃ矢示方向に回動操作すると、押圧突起７９が被押圧面７６を押圧して遊技盤９を遊技盤装着枠８の左下隅の原点位置側へと押し付ける。また操作つまみ７８がロック位置ｂまで回動すると、操作つまみ７８が突部８５を介して遊技盤９を遊技盤装着枠８の後壁部６９へと後方に押し付ける。このように各ロック手段７３の操作つまみ７８をロック位置ｂまで操作することによって、このロック手段７３によって遊技盤９を遊技盤装着枠８内で固定することができる。
【００４６】
また操作つまみ７８をｃ矢示方向へと操作してロック手段７３により遊技盤９を固定する際に、回動軸７７を介して押圧カム１０５がｃ矢示方向に回動して、揺動アーム１０７の下端部を後方へと押す。そして、揺動アーム１０７が横軸１０６廻りにｄ矢示方向に揺動し、その上端の押圧部１１２でジョイントケース８９の突出端側を後方から盤側ジョイント部４７側へと押圧する。このためロック手段７３の固定操作に連動して、引き寄せ手段７４により枠側ジョイント部４８、取り分けその突出端部側を盤側ジョイント部４７側へと前方に引き寄せることができる。
【００４７】
従って、枠側ジョイント部４８は遊技盤装着枠８の下隅部内に突出して、その二辺の取り付け部９５，９６で前枠３の後部ケース３０に取り付けられており、盤側ジョイント部４７の盤側コネクタ５６〜５９と枠側ジョイント部４８の枠側コネクタ９０〜９３とが当接したときの状況によっては、枠側ジョイント部４８の突出端部側に後方へと逃げることがあるにも拘わらず、ロック手段７３により遊技盤装着枠８内の遊技盤９を固定する際に、引き寄せ手段７４により枠側ジョイント部４８の突出端部側を盤側ジョイント部４７側へと引き寄せることにより、盤側コネクタ５６〜５９と枠側コネクタ９０〜９３とを確実に嵌合させて電気的に接続することができ、両コネクタ５６〜５９，９０〜９３間の接触不良を容易且つ確実に解消することができる。
【００４８】
図１３、図１４は本発明の第２の実施例を例示する。この実施例では、遊技盤９の裏側に引き寄せ手段７４が装着され、ロック手段７３の固定操作に連動して遊技盤９側の引き寄せ手段７４により枠側ジョイント部４８を盤側ジョイント部４７側へと引き寄せるようにしている。
【００４９】
この引き寄せ手段７４は、枠側ジョイント部４８の突出端部の近傍に対応して盤側ジョイント部４７の側方近傍で遊技盤９の裏面側から後方に突出する枢支軸１１５と、この枢支軸１１５の後端部に固定され且つジョイントケース８９に裏側から当接可能な引き寄せ体１１４と、下側のロック手段７３の回動軸７７と枢支軸１１５とを連動させる連動機構１１６とを備えている。
【００５０】
枢支軸１１５は遊技盤９の裏面に固定された保持筒１１７に前後方向の軸心廻りに回動自在に挿入され、保持筒１１７により回動のみ自在に保持されている。なお、保持筒１１７は取り付け板１１８を介して遊技盤９の裏面に固定されている。また保持筒１１７と取り付け板１１８との間には保持筒１１７の倒れを防止する補強リブ１１９が設けられている。
【００５１】
引き寄せ体１１４は枢支軸１１５の回動により枠側ジョイント部４８の裏側に出退自在であり、枢支軸１１５がｅ矢示方向に回動したときに枠側ジョイント部４８を裏側から盤側ジョイント部４７側へと押圧し、枢支軸１１５が反ｅ矢示方向に回動したときに枠側ジョイント部４８の裏側から側方に退避するようになっている。
【００５２】
連動機構１１６は遊技盤９の裏側近傍で枢支軸１１５に固定された引き寄せリンク１２０と、枢支軸１１５の下方で遊技盤９の下部側の裏面に前後方向の支軸１２１により回動自在に枢支された中継リンク１２２と、両リンク１２０，１２２を連結する連結ロッド１２３と、遊技盤９の裏側で回動軸７７に固定された操作リンク１２４とを備えている。
【００５３】
操作リンク１２４と中継リンク１２２は、操作つまみ７８を着脱位置ａにして遊技盤９を遊技盤装着枠８に着脱するときに、中継リンク１２２の先端のピン等の係合部１２５が操作リンク１２４の先端の長孔、フォーク等の被係合部１２６に対して係脱するように係合している。
【００５４】
遊技盤９の裏面には、係合部１２５が被係合部１２６に対して係脱する位置に中継リンク１２２を位置決めするストッパー１２７があり、中継リンク１２２はバネ１２８によりストッパー１２７側に付勢されている。なお、遊技盤装着枠８の下側の後壁部６９には前面から後方へと凹入する凹部６９ａがあり、その凹部６９ａ内で回動自在に操作リンク１２４が配置されている。
【００５５】
ロック手段７３の回動軸７７の後端には円板状の支持部８０が設けられ、この支持部８０は凹部６９ａの裏側で後壁部６９から後方に突出する保持部８１内で回動自在に保持され、また後壁部６９と押え部材８２とによって前後方向の移動が規制されている。
【００５６】
遊技盤９を着脱する際には、操作つまみ７８は着脱位置ａにある。このとき中継リンク１２２はストッパー１２７に当接しており、遊技盤９を遊技盤装着枠８内に嵌め込んだときに、その係合部１２５が操作リンク１２４の被係合部１２６に係合する。また枢支軸１１５は盤側ジョイント部４７の側方にあり、引き寄せ体１１４は枠側ジョイント部４８から退避しているため、遊技盤９を遊技盤装着枠８内に嵌め込むときに枠側ジョイント部４８と干渉することはない。
【００５７】
遊技盤９が遊技盤装着枠８内に嵌合すると、両ジョイント部４７，４８のコネクタ５６〜５９，９０〜９３同士が接続する。そして、その後、ロック手段７３の操作つまみ７８を回動軸７７廻りにロック位置ｂへとｃ矢示方向に廻して遊技盤９を固定する。このとき操作リンク１２４がｃ矢示方向に回動するため、被係合部１２６、係合部１２５を介して中継リンク１２２が支軸１２１廻りにｆ矢示方向に回動し、連結ロッド１２３、引き寄せリンク１２０を介して引き寄せ体１１４が枢支軸１１５廻りにｅ矢示方向に回動して枠側ジョイント部４８の裏側に突出し、枠側ジョイント部４８の突出端側を盤側ジョイント部４７側へと引き寄せる。従って、第１の実施例と同様に両ジョイント部４７，４８のコネクタ５６〜５９，９０〜９３同士を確実に接続することができる。
【００５８】
遊技盤９を取り外す場合には、操作つまみ７８を着脱位置ａへと反ｃ矢示方向に廻す。このとき引き寄せ体１１４は枢支軸１１５廻りに反ｅ矢示方向に回動して枠側ジョイント部４８の裏側から側方へと退避する。このため遊技盤９側の引き寄せ体１１４により枠側ジョイント部４８を前側へと引き寄せるようにしているにも拘わらず、引き寄せ体１１４が遊技盤９の着脱に支障を来すようなことはない。
【００５９】
以上、本発明の各実施例について詳述したが、本発明はこれらの実施例に限定されるものではなく、本発明の趣旨を逸脱しない範囲で種々の変更が可能である。実施例では前側が開放状の遊技盤装着枠８に前側から遊技盤９を着脱するようにしているが、遊技盤装着枠８を後側開放状とし、この遊技盤装着枠８に遊技盤９を後側から着脱するようにしたものでも同様に実施可能である。
【００６０】
その場合、枠側ジョイント部４８が前側となり、その後側に盤側ジョイント部４７が位置することになるため、引き寄せ手段７４は枠側ジョイント部４８を盤側ジョイント部４７側へと後方に引き寄せるように構成すればよい。
【００６１】
枠側ジョイント部４８は遊技盤装着枠８内に突出して前枠３に固定しておけば十分であり、前枠３に対する取り付け部９５，９６は、隣合う二辺に設ける他、その一辺又は三辺に設けてもよいし、全周に設けてもよい。要するに遊技盤装着枠８内に突出するように枠側ジョイント部４８を前枠３に取り付ける場合、枠側ジョイント部４８の突出端側の支持強度が低下するため、その突出端側を引き寄せ手段７４により盤側ジョイント部４７へと引き寄せるようにすればよい。実施例では、盤側ジョイント部４７の盤側コネクタ５６〜５９を固定とし、枠側コネクタ９０〜９３を浮動状態にしているが、枠側コネクタ９０〜９３を固定し、盤側コネクタ５６〜５９を浮動状態に設けてもよい。
【００６２】
引き寄せ手段７４はロック手段７３の固定操作に連動して枠側ジョイント部４８を盤側ジョイント部４７へと引き寄せるものであれば、その機構は別段問題ではない。引き寄せ手段７４による枠側ジョイント部４８の引き寄せ量は、その引き寄せ時に枠側ジョイント部４８の取り付け部９５，９６に過大な負荷をかけない程度とする必要がある。
【００６３】
また引き寄せ手段７４が枠側ジョイント部４８に当接する当接位置は、遊技盤装着枠８から突出する突出端を含む枠側ジョイント部４８の略全体でもよいし、上下方向及び／又は左右方向の複数箇所でもよい。例えば枠側ジョイント部４８に押圧部１１２を当接して引き寄せる引き寄せ手段７４の場合には、枠側ジョイント部４８に対応して揺動アーム１０７等に押圧部１１２を上下方向に２個設け、上部側の押圧部１１２で枠側ジョイント部４８の上部側を押圧したときに、その反作用で下側の取り付け部９６が離脱又は破損しないように下部側の押圧部１１２で枠側ジョイント部４８の下部側を押圧するようにしてもよい。
【００６４】
更に枠側ジョイント部４８の裏側に、引き寄せ手段７４の押圧部１１２が当接する位置にその押圧部１１２が嵌合する凹部を形成してもよい。また枠側ジョイント部４８の裏側の押圧部１１２が当接する位置に、リブその他で補強された受け部を公報に突出して設けてもよい。その他、枠側ジョイント部４８には、裏側から押圧部１１２が当接しても損傷しないように上下方向、左右方向等に補強リブ等を設けてもよい。本発明はパチンコ機以外の各種の弾球遊技機においても同様に実施可能である。
【図面の簡単な説明】
【００６５】
【図１】本発明の第１の実施例を示すパチンコ機の全体斜視図である。
【図２】同ガラス扉及び前面開閉板を取り外した状態での正面図である。
【図３】同前枠の斜視図である。
【図４】同要部の平面断面図である。
【図５】同要部の概略平面断面図である。
【図６】同遊技盤の背面図である。
【図７】同ロック手段の正面図である。
【図８】同ジョイント部の拡大断面図である。
【図９】同枠側ジョイント部周辺の背面図である。
【図１０】同枠側ジョイント部の斜視図である。
【図１１】同ロック手段、引き戻し手段の分解斜視図である。
【図１２】同ロック手段、引き戻し手段の側面断面図である。
【図１３】本発明の第２の実施例を示す概略正面図である。
【図１４】同展開平面断面図である。
【符号の説明】
【００６６】
３  前枠
８  遊技盤装着枠
９  遊技盤９
４７  盤側ジョイント部
４８  枠側ジョイント部
６９  後壁部６９
７３  ロック手段
７４  引き寄せ手段
９５，９６  取り付け部
【図１】
2009183388.tif 000003
【図２】
2009183388.tif 000004
【図３】
2009183388.tif 000005
【図４】
2009183388.tif 000006
【図５】
2009183388.tif 000007
【図６】
2009183388.tif 000008
【図７】
2009183388.tif 000009
【図８】
2009183388.tif 000010
【図９】
2009183388.tif 000011
【図１０】
2009183388.tif 000012
【図１１】
2009183388.tif 000013
【図１２】
2009183388.tif 000014
【図１３】
2009183388.tif 000015
【図１４】
2009183388.tif 000016